(57)【要約】  【課題】取り外し可能な自動製氷機付き冷蔵庫において、製氷皿がはずされた状態では給水されないようにした冷蔵庫を提供するものである。  【解決手段】製氷皿７に取り付けられ無線機能を有するＩＣタグ２３と、冷蔵庫内に設けられ製氷皿７が所定位置にセットされると製氷皿７に取り付けられたＩＣタグと電波または電磁波によって無線通信を行い製氷皿の有無検知を行う受信装置２４とを備えることにより、製氷皿７が無いと判断されれば給水動作を行わないようにできるものである。【選択図】図１
2006336962.tif 000002
【特許請求の範囲】
【請求項１】
給水装置から給水された水を冷凍室内に設置した製氷皿に貯溜して製氷し、製氷後に離氷機構により製氷皿を反転させて離氷させるようにし、前記製氷皿が離氷機構から自在に取り外せるようにした自動製氷機付き冷凍冷蔵庫において、前記製氷皿に取り付けられ無線機能を有するＩＣタグと、冷蔵庫内に設けられ製氷皿が所定位置にセットされると前記ＩＣタグと電波または電磁波によって無線通信を行い製氷皿の有無検知を行う受信装置とを備える自動製氷機付き冷凍冷蔵庫。
【請求項２】
前記製氷皿の形状に応じた独自コードを記憶させた無線機能を有するＩＣタグと、前記受信装置により受信した独自コードに応じて前記給水装置による給水量を制御するコード別給水制御手段を備える請求項１に記載の冷凍冷蔵庫。
【請求項３】
前記製氷皿の形状に応じた独自コードを記憶させた無線機能を有するＩＣタグと、前記受信装置により受信した独自コードに応じて前記離氷機構を制御するコード別離氷制御手段を備えた請求項１に記載の冷凍冷蔵庫。
【請求項４】
前記製氷皿個別の独自コードを記憶させた無線機能を有するＩＣタグと、前記受信装置によりコード別に着脱回数を記憶する着脱回数記憶手段と、記憶している着脱回数が一定の閾値を超えると使用者に注意を促す着脱回数警告手段を備えた請求項１に記載の冷凍冷蔵庫。
【請求項５】
前記製氷皿が所定の位置にセットされている時間を計測する使用時間タイマと、使用時間タイマが一定の時間を過ぎると使用者に清掃時期を知らせる清掃時期報知手段を備えた請求項１に記載の冷凍冷蔵庫。
【発明の詳細な説明】
【技術分野】
【０００１】
本発明は、自動製氷機能において着脱可能な製氷皿の有無を検知するようにした冷凍冷蔵庫に関するものである。
【背景技術】
【０００２】
近年冷蔵庫は自動製氷機が付いたものが主流になっている。冷蔵庫等に組み込まれる自動製氷機は、冷蔵庫内に設けた貯水タンクから製氷用水が給水パイプにより自動的に供給され、製氷が自動的に行われて、氷ができると製氷皿を回転させ、かつひねりを加えて、製氷皿内の氷を貯氷容器内に落下させ、貯氷容器内の氷が一定量に溜まったら、貯氷検知レバー等により検出されて、製氷動作を停止しそして貯氷容器内の氷が少なくなると、それが貯氷検知レバーで検知されて再び水が供給され、製氷が自動的に再開するという構成になっている。ここで、自動製氷機の製氷皿は、一般に自動製氷機のモータによって駆動される駆動機構の回転軸と連結固定されているが、駆動機構から分離できず、製氷皿の庫外への取り外しはできないという構造であった。そこで、製氷皿の衛生性を高めるために製氷皿を駆動機構と分離させ、冷蔵庫外に取り出せるような構造に改良し、製氷皿の掃除等を容易に行えるようにした自動製氷機付き冷蔵庫が提案されている（例えば、特許文献１参照）。
【０００３】
図１１は、特許文献１に記載された従来の冷蔵庫の自動製氷機が設けられている部分の構造を示す一部縦断面図であり、図１２は自動製氷機の分解斜視図である。各図において、１は冷凍冷蔵庫本体で、この本体１は内部に冷凍室２と冷蔵室３とを有している。４は冷凍室２の前面開口部を開閉する扉であり、５は冷蔵室３の前面開口部を開閉する扉である。自動製氷機６は冷凍室２に設けられており、その全体構成は、製氷皿７と、製氷完了時に製氷皿７にひねりを加えながら下向きに回動させて離氷させるための駆動機構８とからなる。９がその駆動機構８を収納した機構ボックスで、内部にモータやギヤ等を有している。機構ボックス９は、冷凍室２の奥部の所定箇所に設置固定されている。１０は、機構ボックス９から突出した回転軸で、製氷皿７と連結してこれを回動させる。
【０００４】
冷蔵室３内には、製氷用の水を貯める貯水タンク１１が設けられ、そのタンク１１内の水は、ポンプ１２により給水管１３を介して冷凍室２内の製氷皿７の上部に導かれ、上方から給水される。この製氷皿７は上面が開口した箱型の容器状をなすとともに、その内部が複数の小室７ｍに仕切られていて、所定の大きさの氷を製造するようになっている。なお、２１は冷却ファン、２２は蒸発器である。
【０００５】
製氷皿７には、機構ボックス９と向き合う側の長手方向端部７ｂの中心部分に、回転軸１０に嵌め合せ可能な連結部１４が一体に設けられている。そして製氷皿７のこの連結部１４とは反対側の長手方向端部７ｃより、製氷機支持具１５に設けた製氷皿支持部として作用する長い軸部１６が貫挿されて、製氷皿７が製氷機支持具１５に回転自在に支持されるようになっている。これにより、製氷皿７は、機構ボックス９内のモータにより、回動軸線Ｐを支点として、例えば最初、時計方向に回動されて、次に反転し、反時計方向に回動することになっている。なお、製氷皿７の長手方向端部７ｃに、ひねりを行わせるための突起１７が設けられ、一方製氷機支持具１５の軸部１６が突出する端壁２０ａ内面には、突起１７が嵌合し摺動する円弧状の案内溝１８が形成されており、回転軸１０による製氷皿７の回動に伴い、突起１７が案内溝１８を摺動しついに案内溝１８の一端側に到達し回転が止められた以降は、製氷皿７にはひねりが加えられて、氷が離氷し易くなっている。
【０００６】
１９は貯氷容器で、製氷皿７の下方において出し入れ可能に配置され、製氷皿７が製氷完了時に回動し、離氷動作を行った時に落下する氷を受け入れるようになっている。
【０００７】
ここで、製氷皿７がこの製氷機支持具１５に回動自在に装着されていると共に、製氷皿７と製氷機支持具１５とは一体になって、機構ボックス９側の回転軸１０から、分離できるような構造となっていることを特徴とするもので、これによって、製氷皿７の清掃などが簡単に行えるようになるというものである。
【特許文献１】特開２０００−１６１８２４号公報
【発明の開示】
【発明が解決しようとする課題】
【０００８】
しかしながら、上記従来の構成では製氷皿がはずされた状態であっても、製氷動作を行うことになり製氷皿をはずされた状態で給水動作された場合に貯氷容器に給水された水がそのまま落下し、貯氷容器に蓄えられた氷が板状に固まり氷が取り出せなくなってしまうという課題を有していた。
【０００９】
本発明は、上記従来の課題を解決するもので、製氷皿を取り外すことのできる自動製氷機能を有する冷蔵庫において、製氷皿検知を確実に行い、製氷皿が取り外されている状態において、給水動作をさせないようにする冷蔵庫を提供することを目的とする。
【課題を解決するための手段】
【００１０】
上記従来の課題を解決するために本発明の冷蔵庫は、製氷皿に取り付けられ無線機能を有するＩＣタグと、冷蔵庫内に設けられ製氷皿が所定位置にセットされると製氷皿に取り付けられたＩＣタグと電波または電磁波によって無線通信を行い製氷皿の有無検知を行う受信装置とを備えることにより、製氷皿が無いと判断されれば給水動作を行わないようにしたものである。
【００１１】
これによって、製氷皿がはずされた状態で給水されることがなく、貯氷容器に給水された水がそのまま落ちてしまうということがなくなるというものである。
【００１２】
また、本発明の冷蔵庫は、ＩＣタグに記憶されたコードに応じて給水量を変更するコード別給水制御手段により、取り付けられる製氷皿の容量に応じて給水量を制御し、最適な給水をすることができるので、氷の大きさのバリエーションを増やすことができるようになる。
【００１３】
また、本発明の冷蔵庫は、ＩＣタグに記憶されたコードに応じて離氷機構を制御するコード別離氷制御手段により、製氷皿の形状が変更されても離氷制御を変更することにより製氷皿で作られた氷を確実に貯氷容器に離氷させることができるようになる。
【００１４】
また、本発明の冷蔵庫は、着脱回数を記憶する着脱回数記憶手段と、記憶している着脱回数が一定の閾値を超えると使用者に注意を促すようにするので、洗浄による製氷皿の劣化を使用者に知らせることができるようになり、劣化した製氷皿使用のための氷の割れや欠けを防ぐことができる。
【００１５】
また、本発明の冷蔵庫は、製氷皿が取り付けられている時間を計測し、一定の時間を過ぎると使用者に清掃時期を知らせるようにしたので、清掃時期を使用者が管理する手間が省けるようになる。
【発明の効果】
【００１６】
本発明の冷蔵庫は、製氷皿が所定の位置にセットされているかどうかの検知をするようにしたので、製氷皿がないときに給水されないようにすることができる。
【００１７】
また、本発明の冷蔵庫は、ＩＣタグに記憶されたコードに応じて給水量を変更するコード別給水制御手段により、取り付けられる製氷皿の種類に応じた給水量を制御することができる。
【００１８】
また、本発明の冷蔵庫は、ＩＣタグに記憶されたコードに応じて離氷制御を制御するコード別離氷制御手段により、取り付けられる製氷皿の種類に応じて離氷動作を変更することができる。
【００１９】
また、本発明の冷蔵庫は、製氷皿の着脱回数を記憶するようにしたので、製氷皿を着脱して洗浄された回数が増えると生じる製氷皿の劣化を使用者に知らせることができる。
【００２０】
また、本発明の冷蔵庫は、製氷皿の取り付けられている時間を計測するようにしたので製氷皿の清掃時期を使用者に知らせることができ、清掃時期の管理をする必要がない。
【発明を実施するための最良の形態】
【００２１】
請求項１に記載の発明は、給水装置から給水された水を冷凍室内に設置した製氷皿に貯溜して製氷し、製氷後に離氷機構により製氷皿を反転させて離氷させるようにし、前記製氷皿が離氷機構から自在に取り外せるようにした自動製氷機付き冷凍冷蔵庫において、前記製氷皿に取り付けられ無線機能を有するＩＣタグと、冷蔵庫内に設けられ製氷皿が所定位置にセットされると前記ＩＣタグと電波または電磁波によって無線通信を行い製氷皿の有無検知を行う受信装置とを備えたものであり、製氷皿がはずされているときに給水されないので、貯氷容器に水を落として貯氷容器内を水びたしにしたり、板状の氷になって氷を取り出せなくするような事がない。
【００２２】
請求項２に記載の発明は、請求項１に記載の発明において、前記製氷皿の形状に応じた独自コードを記憶させた無線機能を有するＩＣタグと、前記受信装置により受信した独自コードに応じて前記給水装置による給水量を制御するコード別給水制御手段を備えたものであり、取り付けられる製氷皿の容量が変わっても給水量を適切に制御することができる。
【００２３】
請求項３に記載の発明は、請求項１に記載の発明において、前記製氷皿の形状に応じた独自コードを記憶させた無線機能を有するＩＣタグと、前記受信装置により受信した独自コードに応じて前記離氷機構を制御するコード別離氷制御手段を備えたものであり、形状が変更された製氷皿が取り付けられても形状に応じて離氷制御を変更できるので、的確に離氷させるようにすることができる。
【００２４】
請求項４に記載の発明は、請求項１に記載の発明において、前記製氷皿個別の独自コードを記憶させた無線機能を有するＩＣタグと、前記受信装置によりコード別に着脱回数を記憶する着脱回数記憶手段と、記憶している着脱回数が一定の閾値を超えると使用者に注意を促す着脱回数警告手段を備えたものであり、一定数の着脱洗浄回数を超えると劣化すると予測される製氷皿に対して、使用者に劣化度合いを知らせることができるので劣化した製氷皿を使いつづけて、氷の割れや欠けが生じるようになることを防ぐ。
【００２５】
請求項５に記載の発明は、請求項１に記載の発明において、前記製氷皿が所定の位置にセットされている時間を計測する使用時間タイマと、使用時間タイマが一定の時間を過ぎると使用者に清掃時期を知らせる清掃時期報知手段を備えたものであり、製氷皿の洗浄時期を使用者に伝えることができ、面倒な洗浄時期の管理を使用者が行わなくてもよいようになる。
【００２６】
以下本発明の実施の形態について図面を参照しながら説明するが、従来例と同一構成について同一符号を付して、その詳細な説明は省略する。なお、この実施の形態によってこの発明が限定されるものではない。
【００２７】
（実施の形態１）
図１は、本発明の実施の形態１における冷凍冷蔵庫での自動製氷機の製氷皿付近の斜視図である。２３は製氷皿７に取り付けられたＩＣタグで、ＩＣチップとアンテナが樹脂でモールドされており、水などの浸入を防止してある。２４は、ＩＣタグ２３が近接したときに無線若しくは電磁波で通信を行いＩＣタグの検知をする受信装置である。受信装置２４には、アンテナが埋め込まれており（図示せず）、電波若しくは電磁波を一定周期で出力している。受信装置から出力された電波若しくは電磁波を、一定の距離にあるＩＣタグ２３により受信し、ＩＣタグ２３内で電力変換されて返答信号を出力する。ＩＣタグ２３からの出力信号は、受信装置２４で、受信されＩＣタグ２３の検知を行う。受信装置２４は、製氷皿７が機構ボックス９に取り付けられたときに通信できる距離に設置される。
【００２８】
図２は、本発明の実施の形態１における機能ブロック図である。２５は製氷温度検知手段でサーミスタなどの温度検知素子で構成される。製氷温度検知手段２５は、製氷皿に給水された水の温度を検知し、決められた温度以下になると氷が出来たと判断するのに用いる。２６は離氷回転位置検知手段で、製氷皿７を回転させたときにどの位置にあるのかを検知する。２７は、離氷制御手段で、機構ボックス９内に納められた製氷皿を回転させるための離氷モータ９ａとギア９ｂで構成される（図示せず）。２８は、自動製氷制御手段で受信装置２４からの製氷皿７有無検知信号と製氷温度検知手段２５からの製氷温度、離氷回転位置検知手段２６からの製氷皿７の回転角を入力とし、給水制御手段であるポンプ１２の制御及び離氷制御手段２７の制御を行うもので、マイクロコンピュータを用いた回路（図示せず）で構成される。
【００２９】
図３は、本発明の実施の形態１における給水動作フローチャートである。製氷温度が一定値以下（例えば−１５℃以下）になると離氷制御手段２７を制御して製氷皿７を回転させて離氷動作（Ｓ１）を行う。離氷動作が終了するまで離氷動作を行い、離氷動作が完了すると（Ｓ２）、製氷皿７の検知を行う（Ｓ３）。製氷皿７の検知は受信装置からの信号によって判断される。例えば製氷皿７がある場合はＨ信号が受信装置７から自動製氷制御手段２８に出力される。製氷皿があると判断されれば給水制御手段であるポンプ１２を動作させて給水動作を行う。製氷皿７がないと判断されれば、待機状態（Ｓ５）で製氷皿７があると検知されるまで給水動作しない。
【００３０】
図４は、本発明の実施の形態１におけるコード別給水制御手段を用いた機能ブロック図である。製氷皿７の形状に応じて、ＩＣタグ２３にコードを記憶させておき、製氷皿７を検知したときにどのコードの製氷皿７を検知したのかといった情報を受信装置２４から、自動製氷制御手段２８に入力する。２９は、コード別給水制御手段で、自動製氷制御手段２８に入力されたコードに基づき給水量を変更することにより製氷皿７の形状が変えられても給水量を適量に制御する。例えば、標準的な形状のコード１の製氷皿７が取り付けられている場合は８０ｃｃ（４．２５秒ポンプ作動）の給水量を給水するように制御し、製氷容量の大きい製氷皿７が取り付けられた場合は９０ｃｃ（４．７８秒ポンプ作動）の給水量を給水するように制御する。コード２のＩＣタグ２３に記憶させるコードは、コード別給水制御手段２９で判断できるように予めテーブル形式でコードと給水量の制御が出来るように給水時間の対応が取れるようにしてある。
【００３１】
図５は、本発明の実施の形態１におけるコード別離氷制御手段を用いた機能ブロック図である。製氷皿７の形状に応じて、ＩＣタグ２３にコードを記憶させておき、製氷皿７を検知したときにどのコードの製氷皿７を検知したのかといった情報を受信装置２４から、自動製氷制御手段２８に入力する。３０は、コード別製氷制御手段で、自動製氷制御手段２８に入力されたコードに基づき離氷制御を変更する。
【００３２】
図６は、本発明の実施の形態１における離氷制御のタイミングチャートであり、離氷モータ９ａ動作と離氷回転位置検知手段２６による製氷皿７の回転角を検知する離氷モータ位置検知信号のタイミングを示している。離氷動作が開始されるとｔ１時間は位置検知信号の入力をキャンセルし、離氷モータ９ａ初動時のぶれによる信号乱れを取り除く。ｔ１時間以降ｔ３時間内に位置検知信号がＨからＬになるのを確認して（回転角７０°）、位置検知信号が再びＨになるまで（離氷位置）離氷モータ９ａを正転させる。離氷位置まで正転すると捻りを加えるために離氷モータ９ａを逆転させｔ２時間以内に位置信号がＬからＨになるのを確認し、さらに逆転動作を続け再びＨからＬになる時点で離氷モータ９ａを停止させる。最後に、離氷モータ９ａを位置検知信号がＬからＨになってＴ時間正転させ原点位置に復帰させるようにする。ここでｔ３およびｔ２時間内に位置検知信号の変化がないときは製氷皿７が障害物に当たったり、離氷モータ９ａの故障のため回転できてないと判断し、離氷制御を中断する。ｔ１，ｔ２，ｔ３時間は離氷モータ９ａの特性と周囲温度及び製氷皿７の形状で変化する。コード別製氷制御手段３０は、検知したコードに対応したｔ１，ｔ２，ｔ３時間によって動作時間を変えるようにする。これにより、離氷モータ９ａの正転及び逆転時間が変更されるようになる。
【００３３】
図７は、本発明の実施の形態１における着脱回数記憶手段を加えた機能ブロック図である。３１は、着脱回数記憶手段で、受信装置２４によって製氷皿７がないと判断された回数を記憶する。着脱回数記憶手段３１はＥＥＰＲＯＭなどの半導体メモリが用いられ、電源を切っても回数を記憶させておくことができる。３２は、着脱回数警告手段で着脱回数が一定値を超えると使用者に警告する。着脱回数は、製氷皿７に付けられているＩＣタグのコード別に記憶し、閾値も製氷皿７の種類に応じた回数が予め自動製氷制御手段２８に設定されている。
【００３４】
図８は、本発明の実施の形態１における着脱回数警告手段の一例を示す操作パネルの概略図である。着脱回数警告手段３２は例としてＬＥＤのセグメント表示を用いる。３３は冷蔵庫１に設けられる温度調節などをおこなう操作パネルで冷蔵室の温度調節や冷凍室の温度調節をするための温度調節ボリューム３４（冷蔵室の温度調節ボリューム３４ａ、冷凍室の温度調節ボリューム３４ｂ）を備える。
【００３５】
受信装置２４により一定時間ごとに製氷皿７検知をおこなうが、製氷皿７がないと判断されれば、製氷皿７が取り外されたと判断し着脱回数を１増やす。次に製氷皿７があると判断されるまで着脱回数の増減はおこなわれず、製氷皿７が再びあると判断した後に取り外されると着脱回数を１増やす。着脱回数は増加があった時点で着脱回数記憶手段３１に書込まれ、電源投入時に書込まれた内容が読み込まれる。着脱回数が一定値を超えると着脱回数警告手段３２であるセグメントＬＥＤでその旨を示す表示がされる。本例では「Ｕ０５」と表示する。製氷皿７を交換し新たなコードがふられたＩＣタグ２３が検知されるまで警告としてＬＥＤ表示されるので警告を使用者が見逃すことがない。
【００３６】
図９は、本発明の実施の形態１における使用時間タイマを加えた機能ブロック図である。３５は、使用時間タイマで、受信装置２４からの信号で製氷皿７があると検知している時間を積算する。ここで、使用時間タイマ３５は、自動製氷制御手段２８を構成しているマイクロコンピュータの機能として加えられてもよい。使用時間タイマ３５は製氷皿７があるときの時間を積算するが、製氷皿７が一定時間はずされると清掃行為をしたとみなし、使用時間タイマ３５をリセットする。使用時間タイマ３５による積算時間が一定時間を過ぎると清掃時期報知手段３６により使用者にその旨が報知される。
【００３７】
図１０は、本発明の実施の形態１における清掃時期報知手段の一例を示す操作パネルの概略図である。積算時間が一定時間過ぎると、清掃時期報知手段３６であるＬＥＤを点灯させて清掃時期であることを使用者に知らせる。３７は清掃完了確認スイッチで、清掃が完了したときに操作することにより使用時間タイマ３５がリセットされ、清掃時期報知手段３６のＬＥＤも消灯させることができる。もしくは、清掃時期報知手段３６のＬＥＤが点灯しているときに製氷皿７を取り外して清掃することにより、自動的に使用時間タイマをリセットし、ＬＥＤを消灯させることも可能である。
【００３８】
以上のように本実施の形態においては、製氷皿７に取り付けられ無線機能を有するＩＣタグ２３と、冷蔵庫内に設けられ製氷皿７が所定位置にセットされると製氷皿７に取り付けられたＩＣタグと電波または電磁波によって無線通信を行い製氷皿７の有無検知を行う受信装置２４とを備えることにより、製氷皿７が無いと判断されれば給水動作を行わないようにしたもので、製氷皿７がはずされた状態で給水されることがなく、貯氷容器１９に給水された水がそのまま落ちてしまい、貯氷容器１９内が水びたしになったり、落ちた水がそのまま固まって板状の氷になって取り出せなくなるということがなくなるというものである。
【００３９】
また、本実施の形態では、ＩＣタグ２３に記憶されたコードに応じて給水量を制御するコード別給水制御手段２９により、取り付けられる製氷皿７に応じて給水量を制御し、最適な量の給水をすることができるので、様々な形状の製氷皿７が取り付け可能となり、氷のバリエーションを増やすことができる。
【００４０】
また、本実施の形態では、ＩＣタグ２３に記憶されたコードに応じて離氷モータを制御するコード別離氷制御手段３０により、製氷皿７の形状が変更されても離氷モータの正転時間及び逆転時間を変更できるので、製氷皿７で作られた氷を確実に貯氷容器１９に離氷させることができ、機能部品を変更することなく製氷皿７のバリエーションに対応することができる。
【００４１】
また、本実施の形態では、着脱回数を記憶する着脱回数記憶手段３１と、記憶している着脱回数が一定の閾値を超えると着脱回数警告手段３２により、使用者に製氷皿７の劣化を知らせるようにするので、劣化した製氷皿７使用のための氷の割れや欠けなどの製氷不良を未然に防ぐことができる。
【００４２】
また、本実施の形態では、製氷皿７が所定位置に取り付けられている時間を使用時間タイマ３５で積算し、一定の時間を過ぎると、清掃時期報知手段３６により使用者に清掃時期を知らせるようにしたので、清掃時期を使用者が管理する手間が省けるようになる。
【００４３】
本実施の形態では、各々の機能ごとに説明をしたがそれぞれを組み合わせて用いてもなんら問題はない。
【産業上の利用可能性】
【００４４】
以上のように、本発明にかかる冷蔵庫は、ＩＣタグによって製氷皿検知を確実に行い給水を行うようにしたので、製氷用途の冷蔵庫に限らずあらゆる貯水容器が分離可能な給水装置にも適用できる。
【図面の簡単な説明】
【００４５】
【図１】本発明の実施の形態１における冷凍冷蔵庫での自動製氷機の製氷皿付近の斜視図
【図２】同実施の形態の機能ブロック図
【図３】同実施の形態の給水動作フローチャート
【図４】同実施の形態のコード別給水制御手段を用いた機能ブロック図
【図５】同実施の形態のコード別離氷制御手段を用いた機能ブロック図
【図６】同実施の形態の離氷制御のタイミングチャート
【図７】同実施の形態の着脱回数記憶手段を加えた機能ブロック図
【図８】同実施の形態の着脱回数警告手段の一例を示す操作パネルの概略図
【図９】同実施の形態の使用時間タイマを加えた機能ブロック図
【図１０】同実施の形態の清掃時期報知手段の一例を示す操作パネルの概略図
【図１１】従来の冷蔵庫の一部断面図
【図１２】従来の冷蔵庫の自動製氷機の分解斜視図
【符号の説明】
【００４６】
７    製氷皿
９    機構ボックス
２３  ＩＣタグ
２４  受信装置
２８  自動製氷制御手段
２９  コード別給水制御手段
３０  コード別離氷制御手段
３１  着脱回数記憶手段
３２  着脱回数警告手段
３３  操作パネル
３５  使用時間タイマ
３６  清掃時期報知手段
３７  清掃完了確認スイッチ
【図１】
2006336962.tif 000003
【図２】
2006336962.tif 000004
【図３】
2006336962.tif 000005
【図４】
2006336962.tif 000006
【図５】
2006336962.tif 000007
【図６】
2006336962.tif 000008
【図７】
2006336962.tif 000009
【図８】
2006336962.tif 000010
【図９】
2006336962.tif 000011
【図１０】
2006336962.tif 000012
【図１１】
2006336962.tif 000013
【図１２】
2006336962.tif 000014